(57)【特許請求の範囲】
【請求項１】
統制台と回線制御装置と複数の基地局とからなる統制局と、複数の移動局とからなり、各移動局と前記統制局相互間において通信を行うとともに、移動局相互間においていずれかの基地局を介して相互に通信を行うことが可能なように構成されている無線通信システムであって、
前記統制局は、グループ通信サービスを実施する際、まず、グループに所属する全移動局に対して位置情報の取得を指示するための制御信号を送信し、前記グループに所属する移動局は、この制御信号を受信すると、自局の位置情報を取得して記憶し、
前記統制局は、次に、当該グループ通信の対象となる移動局の所在エリアを指定するエリア情報を付加してグループ通信の呼び出し信号を送信し、これを受信した移動局が、記憶している自局の位置情報と前記呼び出し信号のエリア情報とが合致したときは、前記グループ通信を受信することを特徴とする無線通信システム。
【請求項２】
前記複数の移動局がＧＰＳ(Global Positioning System) 受信装置を付帯し、該ＧＰＳ受信装置によって自局の位置情報を取得することを特徴とする請求項１記載の無線通信システム。
【請求項３】
前記複数の移動局が前記ＧＰＳ受信装置によって取得した自局の位置情報を記憶していることを特徴とする請求項２記載の無線通信システム。
【請求項４】
前記グループ通信の対象となる移動局のエリア情報が、グループ通信の呼び出し信号の末尾に付加される可変長の移動局固有情報中に格納されていることを特徴とする請求項１乃至３のいずれか一記載の無線通信システム。
【請求項５】
統制台と回線制御装置と複数の基地局とからなる統制局と、複数の移動局とが、各移動局と前記統制局相互間において通信を行うとともに、移動局相互間においていずれかの基地局を介して相互に通信を行うことが可能な無線通信方法において、
前記統制局は、グループ通信サービスを実施する際、まず、グループに所属する全移動局に対して位置情報の取得を指示するための制御信号を送信し、前記グループに所属する移動局は、この制御信号を受信すると、自局の位置情報を取得して記憶し、
前記統制局は、次に、当該グループ通信の対象となる移動局の所在エリアを指定するエリア情報を付加してグループ通信の呼び出し信号を送信し、これを受信した移動局が、記憶している自局の位置情報と前記呼び出し信号のエリア情報とが合致したときは、前記グループ通信を受信することを特徴とする無線通信方法。
【請求項６】
前記複数の移動局がＧＰＳ受信装置を付帯し、該ＧＰＳ受信装置によって自局の位置情報を取得することを特徴とする請求項５記載の無線通信方法。
【請求項７】
前記複数の移動局が前記ＧＰＳ受信装置によって取得した自局の位置情報を記憶することを特徴とする請求項６記載の無線通信方法。
【請求項８】
前記グループ通信の対象となる移動局のエリア情報を、グループ通信の呼び出し信号の末尾に付加される可変長の移動局固有情報中に格納することを特徴とする請求項５乃至７のいずれか一記載の無線通信方法。
【発明の詳細な説明】
【技術分野】
【０００１】
この発明は、統制台と回線制御装置と複数の基地局とからなる統制局と、ＧＰＳ(Global Positioning System) 受信装置を付帯した複数の移動局とから構成され、移動局と統制局、及び基地局を介して移動局相互が通信を行うシステムにおいて、統制局がエリアを指定してグループ通信を発信することによって、指定されたエリアにいる移動局がグループ通信を受信する、無線通信システム及び無線通信方法に関する。
【０００２】
従来の技術では、移動局がグループ通信を行うためには、移動局に対して予めグループ番号を登録しておくか、又は統制局が任意の移動局に対してグループ対象局に設定するための制御信号を送信する必要があった。
しかしなから、予めグループ番号を登録しておく方式の場合には、任意のエリアにいる移動局に向けてグループ通信を行うことはできないという問題があった。
【０００３】
また、統制局が任意の移動局に対して、グループ対象局に設定するための制御信号を送信する方式の場合には、統制局が予め全移動局に対して位置情報の取得と統制局への位置情報送信要求のための制御信号を送信し、この制御信号を受信した移動局がＧＰＳ受信装置によって受信した位置情報を統制局に送信することによって、統制局が移動局の位置情報を把握して、任意のエリアにいる移動局のみを手動操作によってグループ対象局に設定してグループ通信を行うことができるが、この方式の場合は、全移動局の位置情報の収集とグループ化対象移動局の設定に時間がかかるため、非常時の通信手段としては効率的でないという問題があった。
【０００４】
これに対して特許文献１において、サーバ装置の日報登録テーブルには、携帯情報端末装置のユーザ名と、当該ユーザの将来のある時間における所在予定位置を示す登録位置情報と、当該時間とを予め関連付けて予め登録している。携帯情報端末装置は、現在位置を特定するための５つの手段のうちのどれかで得られた現在位置を示す現在位置情報と、当該現在位置情報が得られた手段を特定する測定精度情報とを、サーバ装置に送信する。サーバ装置により、そのユーザの日報登録テーブルにある登録位置情報と現在位置情報との同一時刻における一致，不一致の判定の結果や、測定精度情報が示す測定精度等は、クライアント装置から閲覧することができる、と記載されている。
【０００５】
しかしながら、特許文献１記載の技術によれば、測定精度の誤差によって、対象者の滞在予定位置とＧＰＳ機能等で現実に得られた位置情報とが一致しているにもかかわらず、安易に不一致と判定されることを防止できるが、本発明に適用した場合に、統制局がエリアを指定してグループ通信を発信する際に、グループ通信設定に時間をかけずに、指定したエリアにいる移動局を対象としたグループ通信を行うことができるようにすることはできない。
【０００６】
また、特許文献２においては、構内交換機の信号同報装置は呼制御装置を通じて中継線等の外部から複数の無線端末のいずれかのグループ代表内線番号を指定した着信を受ける。信号同報装置は、データベースを検索して代表内線番号に対応する呼出エリア番号、グループ番号および呼出エリア番号に対応する無線基地局収容位置データを得、該当するすべての無線基地局に呼出エリア番号，グループ番号を含む呼出信号を同報する。各無線端末は、受信した呼出信号中の呼出エリア番号，グループ番号が予め記憶した自己のものと一致する場合のみ着信動作を行うことが記載されている。
【０００７】
しかしながら、特許文献２記載の技術によれば、構内交換機の負荷を増大させることなく呼出エリア内の無線端末のみのグループ呼出を可能とすることがでてきるが、本発明に適用した場合に、統制局がエリアを指定してグループ通信を発信する際に、グループ通信設定に時間をかけずに、指定したエリアにいる移動局を対象としたグループ通信を行うことができるようにすることはできない。
【０００８】
また、特許文献３においては、無線ネットワーク内のプッシュツートークコントローラは、プレゼンスサーバ及びプッシュツートークサーバを含む。プッシュツートークコントローラは、勧誘移動端末と、その勧誘移動端末からのプッシュツートーク要求に応じるローカル移動端末との間でローカルな特定グループセッションを確立する。プレゼンスサーバは、勧誘移動端末のローカルエリア内に存在するローカル移動端末を特定する。次いで、プッシュツートークサーバは、勧誘移動端末と、そのローカルエリア内に存在する１台又はそれ以上のローカル移動端末との間でグループセッションを確立することが記載されている。
【０００９】
しかしながら、特許文献３記載の技術によれば、プッシュツートークサーバは、プレゼンスサーバで特定された各ローカル移動端末に勧誘メッセージを送信する。さらに、プッシュツートークサーバは、勧誘移動端末と、勧誘メッセージに応じた１台もしくはそれ以上のローカル移動端末との間でローカルな特定グループセッションを確立することができるが、本発明に適用した場合に、統制局がエリアを指定してグループ通信を発信する際に、グループ通信設定に時間をかけずに、指定したエリアにいる移動局を対象としたグループ通信を行うことができるようにすることはできない。
【特許文献１】特開２００７−１４１１１５号公報（〔００３０〕，図６、〔００３１〕，図７）
【特許文献２】特開平０７−２５０３８０号公報（〔００１５〕，〔００１６〕、図１，図２，図３）
【特許文献３】特表２００７−５２３５６１号公報（〔００２９〕，図４）
【発明の開示】
【発明が解決しようとする課題】
【００１０】
従来の技術のように、移動局がグループ通信を行うために、移動局に対して予めグループ番号を登録しておく方式の場合には、任意のエリアにいる移動局に向けてグループ通信を行うことはできないという問題があった。
また、統制局が任意の移動局に対して、グループ対象局に設定するための制御信号を送信する方式の場合には、統制局が移動局の位置情報を把握して、任意のエリアにいる移動局のみを手動操作によってグループ対象局に設定してグループ通信を行うことができるが、この方式の場合は、全移動局の位置情報の収集とグループ対象移動局の設定に時間がかかるため、非常時の通信手段としては効率的でないという問題があった。
【００１１】
この発明は、上述の事情に鑑みてなされたものであって、無線通信システムのグループ通信において、統制局がエリアを指定してグループ通信を発信することにより、グループ通信設定に時間をかけずに、指定したエリアにいる移動局を対象としたグループ通信を行うことができるようにすることを目的としている。
【課題を解決するための手段】
【００１２】
上記課題を解決するため、この発明の第１の構成は、統制台と回線制御装置と複数の基地局とからなる統制局と、複数の移動局とからなり、各移動局と上記統制局相互間において通信を行うとともに、移動局相互間においていずれかの基地局を介して相互に通信を行うことが可能なように構成されている無線通信システムに係り、上記統制局は、グループ通信サービスを実施する際、まず、グループに所属する全移動局に対して位置情報の取得を指示するための制御信号を送信し、上記グループに所属する移動局が、この制御信号を受信すると、自局の位置情報を取得して記憶し、上記統制局は、次に、当該グループ通信の対象となる移動局の所在エリアを指定するエリア情報を付加してグループ通信の呼び出し信号を送信し、これを受信した移動局が、記憶している自局の位置情報と上記呼び出し信号のエリア情報とが合致したときは、上記グループ通信を受信することを特徴としている。
【００１３】
また、この発明の第２の構成は、統制台と回線制御装置と複数の基地局とからなる統制局と、複数の移動局とが、各移動局と上記統制局相互間において通信を行うとともに、移動局相互間においていずれかの基地局を介して相互に通信を行うことが可能な無線通信方法に係り、上記統制局は、グループ通信サービスを実施する際、まず、グループに所属する全移動局に対して位置情報の取得を指示するための制御信号を送信し、上記グループに所属する移動局が、この制御信号を受信すると、自局の位置情報を取得して記憶し、上記統制局は、次に、当該グループ通信の対象となる移動局の所在エリアを指定するエリア情報を付加してグループ通信の呼び出し信号を送信し、これを受信した移動局が、記憶している自局の位置情報と上記呼び出し信号のエリア情報とが合致したときは、上記グループ通信を受信することを特徴としている。
【発明の効果】
【００１４】
本発明の無線通信システム及び無線通信方法によれば、移動局がグループ通信で着信するために、移動局に予めグループ番号を登録しておいたり、又は統制局が任意の移動局に対してグループ対象局に設定するための制御信号を送信したりする必要なしに、統制局がエリアを指定してグループ通信を発信するので、グループ通信設定に時間をかけずに、指定したエリアにいる移動局を対象としたグループ通信を行うことができるようになる。
【発明を実施するための最良の形態】
【００１５】
統制台と回線制御装置と複数の基地局とからなる統制局と、複数の移動局とからなり、各移動局と統制局相互間において通信を行うとともに、移動局相互間においていずれかの基地局を介して相互に通信を行うことが可能なように構成されている無線通信システムであって、統制局は、グループ通信サービスを実施する際、まず、グループに所属する全移動局に対して位置情報の取得を指示するための制御信号を送信し、グループに所属する移動局が、この制御信号を受信すると、自局の位置情報を取得して記憶し、統制局は、次に、当該グループ通信の対象となる移動局の所在エリアを指定するエリア情報を付加してグループ通信の呼び出し信号を送信し、これを受信した移動局が、記憶している自局の位置情報と呼び出し信号のエリア情報とが合致したときは、上記グループ通信を受信するように動作する。
【実施例１】
【００１６】
図１は、本発明の一実施例である無線通信システムの構成を示すブロック図、図２は、本実施例の無線通信システムの動作を説明するためのタイミングチャートである。
【００１７】
この例の無線通信システムは、図１に示すように、統制局１と、複数の移動局２１，…，２ｍとからなり、さらに統制局１は、統制台１１と、回線制御装置１２と、複数の基地局１３１，１３２，…，１３ｎとからなっている。
以下、この例の無線通信システムの動作を説明する。
【００１８】
この例の無線通信システムでは、統制局１と各移動局２１，２２，…，２ｍ相互間において通信を行うとともに、移動局２１，２２，…，２ｍ相互間において、いずれかの基地局を介して相互に通信を行うことが可能なように構成されている。
【００１９】
統制局１が、予め全移動局２１，２２，…，２ｍに対して位置情報の取得を指示するための制御信号を送信すると、移動局２１，２２，…，２ｍが、付帯するＧＰＳ受信装置によって自局の位置情報を取得するとともに、取得した自局の位置情報を記憶する。
そして、統制局１が、グループ通信の対象となる移動局のエリア情報を付加してグループ通信の呼び出し信号を送信すると、これを受信した移動局が、記憶していた自局の位置情報と呼び出し信号のエリア情報とが合致したことを判定した場合に、統制局１からのグループ通信を受信する。
【００２０】
この際、グループ通信の対象となる移動局のエリア情報は、統制局１からのグループ通信の呼び出し信号（グループ呼設定信号）の末尾に付加されている、可変長の移動局の免許人の固有情報中に格納されている。
【００２１】
このように、この例の無線通信システムでは、統制局１１がエリアを指定してグループ通信の呼び出し信号を発信するので、グループ通信の設定に時間をかけずに、指定したエリアに所在する移動局を対象としたグループ通信を行うことができる。
【００２２】
次に、図２のタイミングチャートを参照して、この例の無線通信システムにおける、各部の動作とそのタイミングを説明する。
統制台１１は、回線制御装置１２に対して移動局２における位置情報取得を指示し、これによって回線制御装置１２は、該当する基地局１３に対して移動局２における位置情報取得を指示し、これによって基地局１３は、該当する移動局２に対して、その位置情報取得を指示する。これによって移動局２は、自局の位置情報を取得してこれを記憶する（ステップＳ１）
【００２３】
次に、統制台１１は、該当する移動局２が所在するエリアの選択操作を行い（ステップＳ２）、次に該当する移動局２を含むグループに対する呼出操作を行う（ステップＳ３）。
これによって、統制台１１は、移動局２のエリア情報を付加して、移動局２を含むグループに対するグループ通信呼び出し信号を回線制御装置１２に対して送出し、これによって回線制御装置１２は、移動局２のエリア情報を付加して、移動局２を含むグループに対するグループ通信呼び出し信号を該当する基地局１３に対して送出し、これによって基地局１３は、移動局２のエリア情報を付加して、移動局２に対するグループ通信呼び出し信号を移動局２に対して送出する。
【００２４】
移動局２は、記憶している自局の位置情報と、基地局１３から送られたエリア情報とが合致した場合、着信動作を行い（ステップＳ４）、これによって、統制台１１と移動局２との間で、グループ通信が実行される。
【００２５】
以上、この発明の実施例を図面により詳述してきたが、具体的な構成はこの実施例に限られるものではなく、この発明の要旨を逸脱しない範囲の設計の変更等があってもこの発明に含まれる。例えば、図１に示された無線通信システムの構成は一例を示したものであって、同じ機能，動作を実現できるものであれば、これとは異なる構成であってもよい。
【産業上の利用可能性】
【００２６】
この発明は、任意の複数の移動局を含む無線通信システムのグループ通信において、利用可能なものである。
【図面の簡単な説明】
【００２７】
【図１】本発明の一実施例である無線通信システムの構成を示すブロック図である。
【図２】同実施例の無線通信システムの動作を説明するためのタイミングチャートである。
【符号の説明】
【００２８】
１    統制局
２，２１，…，２ｍ    移動局
１１    統制台
１２    回線制御装置
１３，１３１，１３２，…，１３ｎ    基地局
【図１】
0005145973.tif 000002
【図２】
0005145973.tif 000003